(57)【要約】      （修正有）【課題】圧入方式によらず、ハウジングで端子を支持するコネクタの提供。【解決手段】棒状の端子４と、筒状の一端が開口され他端部に端子を支持する支持壁６が形成されてなるハウジング８とを備え、端子４は、ハウジング８の支持壁６に支持される部位に該端子４よりも大きい外形の支持部が形成され、ハウジング８は、ハウジング８の支持壁６の端子４を支持する部位に端子４の支持部が挿入される支持穴が形成され、該支持穴の底部に端子４が挿入される挿入穴が形成され、端子の支持部を支持穴の底部側に押さえる端子押さえ１０がハウジング８に係止される。【選択図】図１
2011060516.tif 000002
【特許請求の範囲】
【請求項１】
棒状の端子と、筒状の一端が開口され他端部に前記端子を支持する支持壁が形成されてなるハウジングとを備え、
前記端子は、前記ハウジングの支持壁に支持される部位に該端子よりも大きい外形の支持部が形成され、
前記ハウジングは、前記ハウジングの支持壁の前記端子を支持する部位に前記端子の支持部が挿入される支持穴が形成され、該支持穴の底部に前記端子が挿入される挿入穴が形成され、
前記端子の支持部を前記支持穴の底部側に押さえる端子押さえが前記ハウジングに係止されてなるコネクタ。
【請求項２】
前記支持穴は穴の断面が矩形に形成され、前記端子の支持部は横断面が矩形で前記支持穴の底部に支持される側が広く形成されたくさび形であり、前記端子押さえは、前記端子の支持部を前記支持穴の底部側に押さえる際に、前記端子の支持部と前記支持穴の内壁とにできる前記支持穴内で対向する少なくとも２つの隙間を埋めるように形成されてなることを特徴とする請求項１に記載のコネクタ。
【請求項３】
前記端子押さえは、前記支持壁の方向に複数に分けて形成された頭部と、底部が前記端子押さえに形成された胴部とからなる係止アームを備え、前記頭部の先端の外形は前記ハウジングの支持壁に形成された係止穴よりも大きく、前記胴部の外形は前記係止穴に挿入可能な大きさであることを特徴とする請求項１又は２に記載のコネクタ。
【請求項４】
前記端子押さえには、前記ハウジングの支持壁に形成されたボス穴に挿入可能な保持用ボスが形成されてなることを特徴とする請求項１乃至３のいずれか１項に記載のコネクタ。
【発明の詳細な説明】
【技術分野】
【０００１】
本発明は、コネクタに係り、特に、コネクタハウジングにより端子を支持する技術に関する。
【背景技術】
【０００２】
一般的なＰＣＢ（Ｐｒｉｎｔｅｄ  Ｃｉｒｃｕｉｔ  Ｂｏａｒｄ：プリント基板）用のコネクタは、端子と端子を支持するコネクタハウジング（以下、単に「ハウジング」という。）で構成されており、このようなコネクタの例として、特許文献１がある。
【０００３】
特許文献１のコネクタは、端子と、筒状の一端が開口され他端部に端子を支持する支持壁が形成されてなるハウジングとからなり、支持壁に端子を圧入する圧入穴が形成され、その圧入穴により端子を支持するようになっている。なお、端子を確実に支持するために、端子の外形は圧入穴よりも大きく形成されている。
【先行技術文献】
【特許文献】
【０００４】
【特許文献１】特開２０００−２０８１８９号公報
【発明の概要】
【発明が解決しようとする課題】
【０００５】
しかし、特許文献１のように、端子を圧入穴に圧入する圧入方式の場合、圧入の際に端子と圧入穴との摩擦によって端子表面が削れ、糸バリ（金属バリ）が発生することがあり、糸バリにより端子間が短絡されるという問題が生じる。
【０００６】
本発明が解決しようとする課題は、圧入方式によらず、ハウジングで端子を支持することにある。
【課題を解決するための手段】
【０００７】
上記課題を解決するため、本発明のコネクタは、棒状の端子と、筒状の一端が開口され他端部に端子を支持する支持壁が形成されてなるハウジングとを備え、端子は、ハウジングの支持壁に支持される部位に該端子よりも大きい外形の支持部が形成され、ハウジングは、ハウジングの支持壁の端子を支持する部位に端子の支持部が挿入される支持穴が形成され、該支持穴の底部に端子が挿入される挿入穴が形成され、端子の支持部を支持穴の底部側に押さえる端子押さえがハウジングに係止されていることを特徴とする。
【０００８】
本発明によれば、圧入方式によらず、ハウジングで端子を支持することができる。すなわち、端子が挿入穴に挿入される際に、端子よりも大きい外形に形成されている支持部が、支持壁のハウジングの開口側（内側）に形成された支持穴の底部で支持されることにより、端子が挿入方向に動いて抜けることを防止できる。さらに、端子押さえで端子の支持部を支持穴の底部側に押さえることにより、端子がハウジングの開口方向に動いて抜けることを防止できるので、端子を確実に支持できる。
【０００９】
また、端子押さえをハウジングから外すことで端子をハウジングから抜くことができるので、端子の取り外しが容易になる。さらに、これにより、ハウジング又は端子に不具合がある場合に、端子のハウジングへの組み付け直しが容易になる。
【００１０】
この場合において、支持穴の穴の断面を矩形に形成し、端子の支持部を横断面（端子の長手方向が縦）が矩形で支持穴の底部に支持される側が広いくさび形に形成し、端子押さえを、端子の支持部が支持穴の底部側に押さえる際に、端子の支持部と支持穴の内壁とにできる支持穴内で対向する少なくとも２つの隙間を埋めるように形成することもできる。これにより、端子が動かないようにすることができ、より確実に支持できる。さらに、端子押さえに、ハウジングの支持壁に形成されたボス穴に挿入可能な保持用ボスを形成することもできる。
【００１１】
また、端子押さえは、支持壁の方向に複数に分けて形成された頭部と、底部が端子押さえに形成された胴部とからなる係止アームを備え、頭部の先端の外形をハウジングの支持壁に形成された係止穴よりも大きく、胴部の外形は係止穴に挿入可能な大きさに構成することもできる。なお、端子押さえをハウジングの内側の側壁に係止するように構成することもできる。
【発明の効果】
【００１２】
本発明によれば、圧入方式によらず、ハウジングで端子を支持することができる。また、端子の取り外し、組み付け直しが容易になる。
【図面の簡単な説明】
【００１３】
【図１】本実施形態のコネクタの全体構成を示す図である。
【図２】端子の構成を示す図である。
【図３】（ａ）はハウジングの開口側からの正面図であり、（ｂ）は矢印Ａ−Ａから見たハウジングの矢視図である。
【図４】（ａ）はホルダの斜視図であり、（ｂ）はホルダの正面図であり、（ｃ）はホルダの平面図であり、（ｄ）はホルダの側面図である。
【図５】ハウジングにホルダを組み付けるまでの流れを示す図である。
【図６】（ａ）は図５（ｂ）時のハウジングの正面図であり、（ｂ）は矢印Ｂ−Ｂから見たハウジングの矢視図である。
【図７】（ａ）は図５（ｃ）時のハウジングの正面図であり、（ｂ）は矢印Ｃ−Ｃから見たハウジングの矢視図であり、（ｃ）は矢印Ｄ−Ｄから見たハウジングの矢視図であり、（ｄ）は矢印Ｅ−Ｅから見たハウジングの矢視図である。
【発明を実施するための形態】
【００１４】
以下、本発明を適用してなるコネクタの実施形態を説明する。なお、以下の説明では、同一機能部品については同一符号を付して重複説明を省略する。
【００１５】
図１は、本実施形態のコネクタ２の全体構成を示す図である。図１に示すようにコネクタ２は、棒状の複数本（本実施形態では４本）の端子４と、筒状の一端が開口され他端部に端子４を支持する支持壁６が形成されてなる樹脂製のハウジング８と、端子４を押さえる樹脂製のホルダ１０がハウジング８に係止されて構成されている。なお、コネクタ２は、コネクタ２を図示しない基板に取り付けるための取り付け部１１を備えている。
【００１６】
図２は端子４の構成を示す図である。図２に示すように、端子４は角棒状で、ハウジング８の支持壁６に支持される部位である端子４の中央部に、端子４よりも大きい外形で、支持壁６に支持される側が広く形成されたくさび形の支持部１２が挿入され固定されている。また、支持部１２は樹脂製であり、横（端子４の長手方向が縦）の断面は矩形である。
【００１７】
図３（ａ）はハウジング８の開口側からの正面図であり、図３（ｂ）は線Ａ−Ａから見たハウジング８の矢視図である。図３（ａ）、図３（ｂ）に示すように、ハウジング８は角筒で、支持壁６のハウジング８の内側中央に、端子４の支持部１２が挿入可能な大きさで端子４と対応する数の支持穴１４が形成されている。支持穴１４の断面は矩形であり、穴の底部中央に端子４が挿入可能な大きさの挿入穴１６が形成されている。
【００１８】
また、支持穴１４の周囲で支持壁６のハウジング８の内側の四隅近傍にそれぞれ、ホルダ１０を係止するための係止穴１８及びホルダ１０の保持用のボス穴２０が複数（本実施形態では４つ）形成されている。支持穴１４、挿入穴１６、係止穴１８及びボス穴２０の断面は矩形である。
【００１９】
図４（ａ）から（ｄ）は、順にホルダの斜視図、正面図、平面図、側面図である。図４に示すように、ホルダ１０は、ハウジング８の開口部と対応する大きさの矩形の板２２に、端子４の支持部１２を支持穴１４の底部側に押さえる端子押さえ２４と、係止穴１８と係合する係止アーム２６と、ボス穴２０に挿入される保持用ボス２８とを備えて構成されている。板２２の中央部には、端子４が挿入可能な大きさの端子挿入穴３０が形成されている。
【００２０】
端子押さえ２４は、端子４の支持部１２を支持穴１４の底部側に押さえる際に、端子４の支持部１２と支持穴１４の内壁とにできる内壁内で対向する２つの隙間を埋めるように形成されている。端子４の支持部１２がくさび形で、支持穴１４の縦断面が矩形なので、挿入された際にできる隙間は、平断面が直角二等辺三角形で、縦横の断面が矩形の空間となる。端子押さえ２４は、この空間を埋める形であり、複数（本実施形態では８つ）設けられ、２つ一組として支持穴１４に入り込み、１つの支持部１２を保持するようになっている。
【００２１】
係止アーム２６は、支持壁６の方向に複数に分けて形成された頭部３２と、底部が端子押さえ２４に形成された胴部３４とからなり、頭部３２の先端には係止突起３６があり、その外形はハウジング８の支持壁６に形成された係止穴１８よりも大きく、胴部３４の外形は係止穴１８に挿入可能な大きさである。
【００２２】
ここで、本実施形態のコネクタ２の組み付け時の動作について説明する。図５は、ハウジング８にホルダ１０を組み付けるまでの流れを示す図である。図５（ａ）から（ｂ）で、支持部１２が形成された端子４をハウジング８の支持壁６の挿入穴１６に挿入する。このとき、支持部１２は挿入穴１６よりも大きく形成されているので、支持穴１４の底部で支持される。図６に挿入時の構成図を示す。図６（ａ）は図５（ｂ）時のハウジング８の正面図であり、図６（ｂ）は線Ｂ−Ｂから見たハウジング８の矢視図である。
【００２３】
図５（ｂ）から（ｃ）で、ホルダ１０をハウジング８の開口部から挿入し、それぞれの端子４をホルダ１０の端子挿入穴３０に挿入する。その過程で、ホルダ１０の係止アーム２６の頭部３２が支持壁６の係止穴１８と接触し、さらに、係止穴１８方向へ押していくと、頭部３２の先端が係止穴１８の中央方向に撓み、変形する。さらに、係止穴１８方向へ押していき、係止穴１８が頭部３２の係止突起３６を乗り越える位置まで挿入されたところで、頭部３２の先端は弾性力により復元する。これにより、ホルダ１０はハウジング８に係止される。
【００２４】
図７に組み付け時の構成図を示す。図７（ａ）は図５（ｃ）時のハウジング８の正面図であり、図７（ｂ）は線Ｃ−Ｃから見たハウジング８の矢視図であり、図７（ｃ）は線Ｄ−Ｄから見たハウジング８の矢視図であり、図７（ｄ）は線Ｅ−Ｅから見たハウジング８の矢視図である。
【００２５】
ホルダ１０を係止穴１８方向へ押していく際に、端子押さえ２４は端子４の支持部１２と支持穴１４の内壁とにできる隙間に入り込んでいき、支持部１２を保持、固定するようになっている。保持用ボス２８はそれぞれボス穴２０に挿入される。
【００２６】
以上説明したように、本実施形態によれば、圧入方式によらず、ハウジング８で端子４を支持することができる。すなわち、端子４が挿入穴１６に挿入される際に、端子４よりも大きい外形に形成されている支持部１２が、支持壁６のハウジング８の開口側に形成された支持穴１４の底部で支持されることにより、端子４が挿入方向に動いて抜けることを防止できる。さらに、ホルダ１０で端子４の支持部１２を支持穴１４の底部側に押さえることにより、端子４がハウジング８の開口方向に動いて抜けることを防止できるので、端子４を確実に支持できる。
【００２７】
また、ホルダ１０をハウジング８から外すことで端子４をハウジング８から抜くことができるので、端子４の取り外しが容易になる。さらに、これにより、ハウジング８又は端子４に不具合がある場合に、端子４のハウジング８への組み付け直しが容易になる。さらに、端子押さえ２４、保持用ボス２８を設けたので、端子４をより確実に支持できる。
【００２８】
以上、実施形態について説明したが、本発明は、これに限らず適宜構成を変更して適用することができる。例えば、端子４、ハウジング８、ホルダ１０等は断面矩形でなくとも、例えば正方形、楕円形でもよい。
【００２９】
また、端子４、支持穴１４、挿入穴１６、端子押さえ２４、係止アーム２６、保持用ボス２８の数及び位置は、適宜変えることができる。端子４と支持部１２は一体形成されていてもよく、ホルダ１０はハウジング８の内側の側壁に係止されるような構成でもよい。また、支持部１２はくさび形でなくてもよく、端子押さえ２４の形は、支持部１２と支持穴１４の内壁とにできる隙間を埋めるような形であればよいので、支持部１２と支持穴１４の形に応じた形にするのが好ましい。
【符号の説明】
【００３０】
２  コネクタ
４  端子
６  支持壁
８  ハウジング
１０  ホルダ
１２  支持部
１４  支持穴
１６  挿入穴
１８  係止穴
２４  端子押さえ
２６  係止アーム
３０  端子挿入穴
【図１】
2011060516.tif 000003
【図２】
2011060516.tif 000004
【図３】
2011060516.tif 000005
【図４】
2011060516.tif 000006
【図５】
2011060516.tif 000007
【図６】
2011060516.tif 000008
【図７】
2011060516.tif 000009